(57)【要約】【課題】商品の購入の検討の際にその商品の二酸化炭素排出量についての情報が得られるようにする。【解決手段】商品の販売に先立って商品の価格等の情報を提供する見積書であって、前記商品を特定するための商品特定情報を記載する商品特定情報記載欄（件名記載欄）２０と、前記商品の価格を記載する商品価格記載欄（合計見積もり金額記載欄）４０と、前記商品が使用された際に前記商品から排出される二酸化炭素の量を記載する二酸化炭素排出量記載欄５０とを少なくとも有する。【選択図】　　図１
2004025654.tif 000002
【特許請求の範囲】
【請求項１】
商品の販売に先立って当該商品の価格等の情報を提供するための見積書であって、
前記商品を特定するための商品特定情報を記載する商品特定情報記載欄と、
前記商品の価格を記載する商品価格記載欄と、
前記商品が使用された際に前記商品から排出される二酸化炭素の量を記載する二酸化炭素排出量記載欄と
を少なくとも有する見積書。
【請求項２】
請求項１に記載の見積書であって、さらに、
前記商品が電気によって作動する場合に前記商品が消費する電力量を記載する消費電力量記載欄と、
消費される電力量と二酸化炭素の排出量との関係を示す係数を記載する排出係数記載欄と
を有する見積書。
【発明の詳細な説明】
【０００１】
【発明の属する技術分野】
本発明は、見積書に関するものである。
【０００２】
【従来の技術】
商品の販売に先立って、見積書が作成される場合が多い。
従来の見積書には、商品の品名を記載する欄及び商品の価格を記載する欄等が設けられている。
そして、上記の欄等に所定の内容が記載された見積書が顧客に提供され、顧客が当該商品を購入するか否かの判断の材料とされる。
【０００３】
【発明が解決しようとする課題】
ところで、近年、環境問題について、世界的な関心が高まっている。
環境問題の１つとして、大気中の二酸化炭素の含有量の増加の問題がある。二酸化炭素は温室効果を有しているため、大気中の二酸化炭素の含有量の増加によって地球の温暖化等の問題が引き起こされると考えられている。
そして、二酸化炭素は、各種の機械（電気機器等）が使用された際にも、直接的又は間接的に大気中に排出される。
このため、各種の機械を購入しようとする者は、その購入しようとする商品の二酸化炭素排出量についても関心を持つ傾向にある。
【０００４】
しかしながら、従来の見積書では、二酸化炭素の排出量についての情報が記載されず、商品を購入しようとする者にとって、その商品の二酸化炭素の排出量を考慮することは困難であった。
【０００５】
そこで、本発明は、商品の購入の検討の際にその商品の二酸化炭素排出量についての情報が得られる見積書を提供することを課題とする。
【０００６】
【課題を解決するための手段】
上記の課題を解決するために、請求項１に係る発明は、商品の販売に先立って当該商品の価格等の情報を提供するための見積書であって、前記商品を特定するための商品特定情報を記載する商品特定情報記載欄と、前記商品の価格を記載する商品価格記載欄と、前記商品が使用された際に前記商品から排出される二酸化炭素の量を記載する二酸化炭素排出量記載欄とを少なくとも有する見積書である。
【０００７】
この発明の見積書には、商品が使用された際に当該商品から排出される二酸化炭素の量（二酸化炭素排出量）を記載する二酸化炭素排出量記載欄があるため、見積もり者（商品提供者）によって、二酸化炭素排出量が当該欄に容易に記載され得る。
すなわち、当該商品の品名等の商品特定情報や価格等を記載する際に、二酸化炭素排出量も記載しようという気持ちを見積もり者に起こさせるとともに、見積もり者は、二酸化炭素排出量を欄外等に記載することなく、当該所定の欄に記載することができる。
そして、この見積書を受ける者（顧客）は、二酸化炭素排出量も商品選択の際の１つの指標として考慮することが容易となる。
【０００８】
請求項２に係る発明は、請求項１に係る発明の見積書であって、さらに、前記商品が電気によって作動する場合に前記商品が消費する電力量を記載する消費電力量記載欄と、消費される電力量と二酸化炭素の排出量との関係を示す係数を記載する排出係数記載欄とを有する見積書である。
【０００９】
「前記商品が電気によって作動する場合に…」には、前記商品が電気によって直接的に作動する場合に限らず、電気によって間接的に作動する場合も含まれる。「電気によって間接的に作動する場合」とは、例えば、直接的には空圧によって作動し、そのためのコンプレッサが電気によって作動する場合等である。
同様に、「…前記商品が消費する電力量…」には、前記商品が直接的に消費する電力量に限らず、間接的に消費する電力量も含まれる。
【００１０】
この発明の見積書では、請求項１に係る発明の見積書の作用効果に加えて、次の作用効果が得られる。
すなわち、電気によって作動する商品は直接的には二酸化炭素を排出しないが、電力量を消費することによって間接的に二酸化炭素を排出する。そして、この見積書では、当該商品が消費する電力量が消費電力量記載欄に記載され、消費される電力量と二酸化炭素の排出量との関係を示す係数が排出係数記載欄に記載される。
このため、電気によって作動する商品についても、見積もり者（商品提供者）及びこの見積書を受ける者（顧客）の双方において、商品の二酸化炭素排出量についての意識が向上する。
【００１１】
【発明の実施の形態】
次に、本発明の一実施形態について、図面に基づいて説明する。
この見積書は、長方形状の紙によって形成されている。
この見積書には、日付記載欄１０，商品提供者記載欄１２，顧客名記載欄１４が設けられている。
【００１２】
日付記載欄１０には、この見積書が作成された日付が記載される。商品提供者記載欄１２には、この見積書を作成した者（会社）、すなわち、この見積書に基づいて商品を顧客に対して提供する（正確にいえば、その可能性のある）者（会社）の名称、住所及び電話番号等が記載される。
顧客名記載欄１４には、この見積書が作成される相手、すなわち、この見積書に基づいて商品が提供される（正確にいえば、その可能性のある）者（会社）の名称が記載される。その部署名又は担当者まで記載される場合もある。
【００１３】
この見積書には、件名記載欄２０及び製造メーカー記載欄２２が設けられている。
件名記載欄２０には、この見積書における見積もりの対象となる商品（例えば機械等）を特定する情報が記載される。すなわち、商品の名称及び型番等が記載される。原則として、１種類の１つの商品が記載される。製造メーカー記載欄２２には、上記商品を製造したメーカーの名称が記載される。この件名記載欄２０及び製造メーカー記載欄２２が、本発明の商品特定情報記載欄に該当する。
【００１４】
上記の各欄の下側には、「品名・仕様」記載欄３０が形成され、その左側に項番記載欄３２が形成されている。「品名・仕様」記載欄３０の右側には、数量記載欄３４，単価記載欄３６，金額記載欄３８が形成されている。
そして、各欄３０，３２，３４，３６，３８は、横方向に延びる複数の仕切り線によって、縦方向に複数に仕切られている。
【００１５】
項番記載欄３２には、上から順に、１，２，３，４，…と記載される。
「品名・仕様」記載欄３０には、件名記載欄２０に記載された商品の部品やその部品の組立・据え付け等の作業等の各内容が記載される。
数量記載欄３４には、当該部品や当該作業等の個数が記載され、単価記載欄３６には、当該部品や当該作業等の単価が記載される。
金額記載欄３８には、各部品や各作業における個数に単価を乗じた金額が記載される。
【００１６】
この見積書には、合計見積もり金額記載欄４０が設けられている。
合計見積もり金額記載欄４０には、この見積書の全体の見積もり金額、すなわち、上記金額記載欄３８に記載された金額の合計の金額が記載される。この合計見積もり金額記載欄４０が、本発明の商品価格記載欄に該当する。
【００１７】
そして、この見積書には、二酸化炭素排出量記載欄５０が設けられている。
二酸化炭素排出量記載欄５０には、件名記載欄２０に記載された商品（例えば機械等）が使用された際に、当該商品（機械等）から排出される二酸化炭素の量が記載される。
二酸化炭素排出量記載欄５０のうちの右下部分には「ｋｇ・ｇ／時間・サイクル」と記載されている。そして、二酸化炭素排出量が、機械等が使用される時間あたりの場合，使用されるサイクルあたりの場合に応じて、「時間・サイクル」のうちのいずれかに丸印等が付される。また、二酸化炭素排出量の単位（キログラム又はグラム）に応じて「ｋｇ・ｇ」のうちのいずれかに丸印等が付される。
【００１８】
二酸化炭素排出量記載欄５０に付随して、消費電力量記載欄５２が設けられている。消費電力量記載欄５２には、当該商品が電気によって作動するものの場合に、その消費される電力量（消費電力量）が記載される。
この消費電力量記載欄５２に付随して、排出係数記載欄５４が設けられている。排出係数記載欄５４には、当該商品（機械等）が電気によって作動するものの場合に、その消費電力量と二酸化炭素排出量との間の係数が記載される。
【００１９】
すなわち、電気によって作動する機械の場合においては、その機械が作動する際には直接的には二酸化炭素を排出しない。しかしながら、電気を消費するということは、発電所（特に火力発電所）において二酸化炭素が排出されているわけであり、間接的に二酸化炭素を排出しているといえる。そして、単位消費電力量あたり間接的に二酸化炭素を排出する量を示す係数が計算され得るため、その係数が記載される。
そして、消費電力量記載欄５２に記載される消費電力量に排出係数記載欄５４に記載される排出係数を乗じた数値が二酸化炭素排出量となり、それが二酸化炭素排出量記載欄５０に記載されるのである。
【００２０】
以上のように、この見積書には二酸化炭素排出量記載欄５０が設けられているため、見積もり者（すなわち、商品提供者）による見積書作成（各項目への記載）の際に、当該商品の二酸化炭素排出量が記載される。
このため、その見積書を受けた者（すなわち、顧客）は、自分の購入しようとする商品がどれだけの二酸化炭素を排出するものかを容易に認識することができる。
このため、その見積書を受けた者（顧客）は、二酸化炭素排出量も商品選択の際の１つの指標として考慮することが容易となる。
【００２１】
また、この見積書では、消費電力量記載欄５２及び排出係数記載欄５４が設けられているため、電気によって作動する機械等が間接的に二酸化炭素を排出する量についても、見積もり者（商品提供者）及び見積もりを受ける者（顧客）の意識が向上する。
【００２２】
なお、上記のものはあくまで本発明の一実施形態にすぎず、当業者の知識に基づいて種々の変更を加えた態様で本発明を実施できることはもちろんである。
【００２３】
例えば、上記の実施形態の見積書は、原則として１種類の１つの商品の見積もりを行うものであるが、多種類及び／又は多数の商品の見積もりを行う態様も考えられる。その際は、１種類１つの商品ごとに二酸化炭素排出量を記載する欄が設けられる、及び／又は、全商品の合計の二酸化炭素排出量を記載する欄が設けられる、という態様が考えられる。
【図面の簡単な説明】
【図１】本発明の一実施形態の見積書を示す図である。
【符号の説明】
２０　件名記載欄（商品特定情報記載欄）
４０　合計見積もり金額記載欄（商品価格記載欄）
５０　二酸化炭素排出量記載欄
５２　消費電力量記載欄
５４　排出係数記載欄
【図１】
2004025654.tif 000003